(57)【要約】【目的】保形性が高く、しかも容器のカバー部材（蓋体）が外れるのを防止し、収容した食品がこぼれず、持ち運びに適し、携帯性に優れたシリコン樹脂製の食品用容器を提供する。【構成】容器本体及び蓋体から成るシリコン樹脂製の食品用容器において、前記容器本体の上端縁部の全周に沿って膨出部が設けられ、この膨出部には全周に亘って保形維持する芯材が配設されており、前記蓋体は、該芯材が配設された膨出部の外側面に嵌合される側周面を有し、容器本体の変形、ねじれにより蓋体が外れるのを抑制する食品用容器である。【選択図】        図２
0003167335.tif 000002
【実用新案登録請求の範囲】
【請求項１】
容器本体及び蓋体から成るシリコン樹脂製の食品用容器において、
前記容器本体の上端縁部の全周に沿って膨出部が設けられ、この膨出部には全周に亘って保形維持する芯材が配設されており、
前記蓋体は、該芯材が配設された膨出部の外側面に嵌合される側周面を有し、容器本体の変形、ねじれにより蓋体が外れるのを抑制する構成であることを特徴とする食品用容器。
【請求項２】
芯材が、容器本体の膨出部に埋設されていることを特徴とする請求項１に記載の食品用容器。
【請求項３】
芯材が、金属製であることを特徴とする請求項１又は２に記載の食品用容器。
【請求項４】
芯材が、硬質合成樹脂製であることを特徴とする請求項１又は２に記載の食品用容器。
【請求項５】
容器本体と蓋体の間に、シリコン樹脂製の中蓋を有することを特徴とする請求項１〜４のいずれかに記載の食品用容器。
【請求項６】
中蓋が、容器本体の膨出部の内側面に嵌合する形状であることを特徴とする請求項５に記載の食品用容器。
【請求項７】
中蓋に、載置部が設けられていることを特徴とする請求項５又は６に記載の食品用容器。
【請求項８】
容器本体の膨出部に被係止部が設けられ、蓋体の側周面に係止部設けられたことを特徴とする請求項１〜７のいずれかに記載の食品用容器。
【考案の詳細な説明】
【技術分野】
【０００１】
本考案は、食品用容器に関し、詳しくは、シリコン樹脂製の食品用容器であって、電子レンジや電気オーブンにより温めや加熱調理することができると共に、冷凍庫等の低温環境で保存することもできる食品用容器に関する。
【背景技術】
【０００２】
従来より、電子レンジやオーブンを使用し、加熱調理することができる電子レンジ用調理容器が提案されている。
【０００３】
特許文献１に記載の技術は、開口を有するエラストマー材料製の容器と、開口を閉じるカバー材料とを有し、容器の壁に複数の強化リブが形成された電子レンジ用調理容器である。この容器は、低温から高温まで耐性があるシリコン樹脂等のエラストマー材料で形成され、電子レンジやオーブンでの加熱が可能である。
【０００４】
この容器を形成する材料であるシリコン樹脂等は、軟質であり、更に熱伝導を良くするために薄く形成する必要があることから、保形性が悪い。そのため、容器の壁に複数の強化リブを形成し、保形性を高めている。
【０００５】
しかし、この技術では、容器の保形性が十分ではないという問題があるばかりでなく、この技術を、弁当箱等の持ち運び用途に応用することが困難であるという問題点があった。
【０００６】
【特許文献１】特表２０１０−５３７７５７
【考案の開示】
【考案が解決しようとする課題】
【０００７】
そこで、本考案の課題は、保形性が高く、しかも容器のカバー部材（蓋体）が外れるのを防止し、収容した食品がこぼれず、持ち運びに適し、携帯性に優れた食品用容器を提供することにある。
【課題を解決するための手段】
【０００８】
上記課題を解決する本考案は、下記構成を有する。
１．容器本体及び蓋体から成るシリコン樹脂製の食品用容器において、
前記容器本体の上端縁部の全周に沿って膨出部が設けられ、この膨出部には全周に亘って保形維持する芯材が配設されており、
前記蓋体は、該芯材が配設された膨出部の外側面に嵌合される側周面を有し、容器本体の変形、ねじれにより蓋体が外れるのを抑制する構成であることを特徴とする食品用容器。
【０００９】
２．芯材が、容器本体の膨出部に埋設されていることを特徴とする前記１に記載の食品用容器。
【００１０】
３．芯材が、金属製であることを特徴とする前記１又は２に記載の食品用容器。
【００１１】
４．芯材が、硬質合成樹脂製であることを特徴とする前記１又は２に記載の食品用容器。
【００１２】
５．容器本体と蓋体の間に、シリコン樹脂製の中蓋を有することを特徴とする前記１〜４
のいずれかに記載の食品用容器。
【００１３】
６．中蓋が、容器本体の膨出部の内側面に嵌合する形状であることを特徴とする前記５に記載の食品用容器。
【００１４】
７．中蓋に、載置部が設けられていることを特徴とする前記５又は６に記載の食品用容器。
【００１５】
８．容器本体の膨出部に被係止部が設けられ、蓋体の側周面に係止部設けられたことを特徴とする前記１〜７のいずれかに記載の食品用容器。
【考案の効果】
【００１６】
前記１に示す考案によれば、容器本体の膨出部の全周に亘って芯材が設けられているため、容器本体の開口部において変形や歪みが生じ難く、更に、容器本体の膨出部と蓋体の側周面は嵌合されるため、容器本体から蓋体が外れるのを防止することができる。
従って、低温から高温まで幅広い耐熱性を有し、電子レンジや電気オーブンでの加熱も可能であるというシリコン樹脂製の容器の特性を維持しつつ、持ち運びをする際にも、容器本体と蓋体とが固定され、収容した食品がこぼれ落ちることがない、携帯性の優れた食品用容器を提供することができるという効果がある。
【００１７】
前記２に示す考案によれば、芯材が容器本体の膨出部に埋設されるため、外観からは単一の材料から形成された食品用容器のように観察され、審美性に優れるという効果があり、衛生的にも優れるという効果ある。
【００１８】
前記３に示す考案によれば、芯材を金属製にすることによって、容器本体の膨出部の強度が増し、容器本体の開口部において変形や歪みが、より生じ難くなるという効果がある。
【００１９】
前記４に示す考案によれば、芯材を硬質合成樹脂製にすることによって、容器本体の膨出部の強度が増しつつ、軽量化することができるという効果がある。
【００２０】
前記５に示す考案によれば、容器本体と蓋体の間に中蓋を備えることにより、保温性を高めることができる。
【００２１】
前記６に示す考案によれば、中蓋が容器本体と嵌合することにより、保温性を高めるばかりでなく、シリコン樹脂の有するシール性も手伝って、収容した食品を密閉することができ、食品がこぼれ落ちることを防止することができる。
【００２２】
前記７に示す考案によれば、載置部に箸、スプーン、フォーク等の食器や、ふりかけ、調味料、保冷材等を載置し、収容することができる。
【００２３】
前記８に示す考案によれば、容器本体に蓋体を嵌合した際に、容器本体の膨出部に設けられた被係止部と、蓋体の側周面に設けられた係止部が係止又は係合し、容器本体と蓋体がより外れ難くなるという効果がある。
【図面の簡単な説明】
【００２４】
【図１】本考案に係る食品用容器の一実施例を示す説明図
【図２】容器本体の各部名称を説明する６面図
【図３】蓋体の各部名称を説明する６面図
【図４】中蓋の各部名称を説明する６面図
【考案を実施するための最良の形態】
【００２５】
添付の図面に従って、本考案に係る食品用容器を詳細に説明する。
【００２６】
本考案に係る食品用容器は、図１に示すとおり、容器本体１及び蓋体２によって構成され、中蓋３や仕切り具４を加えることができる。
【００２７】
容器本体１と蓋体２は、シリコン樹脂を材料として形成され、詳しくは、軟質シリコン樹脂を材料として形成される。
材料として使用されるシリコン樹脂は、低温から高温まで幅広い耐熱性があり、このシリコン樹脂で形成することによって、本考案に係る食品用容器は、冷凍庫のような低温環境下での保存が可能であり、且つ、電子レンジや電気オーブンといった高温での加熱にも耐えることが可能となる。
【００２８】
本考案に使用するシリコン樹脂として、例えば、摂氏−３０度から２７０度までの耐熱性を有するものを挙げることができる。
更に、シリコン樹脂の成形品は、シール部材としても広く使用されるなどシール性に優れており、これを材料として本考案にかかる食品用容器を成形することによって、収容する食品がこぼれ落ちることを防止することもできる。
【００２９】
本考案に係る食品用容器には、容器本体１と蓋体２の他、中蓋３や仕切り具４といった部材を加えることができるが、これらの部材も、容器本体１と蓋体２と同様に、シリコン樹脂を材料として形成することが好ましい。本考案に係る食品用容器が、中蓋３や仕切り具４を付属した状態でも、低温から高温までの幅広い耐熱性を有するためである。
【００３０】
容器本体１について説明する。
容器本体１は、図２に示すとおり、上端縁部１１、開口部１２、側面部１３及び底部１４から構成され、上端縁部１１には、膨出部１５が設けられている。
尚、図２に示す容器本体１の６面図において、背面図は正面図と、右側面図は左側面図と、それぞれ同一に表れるため省略する。
【００３１】
図２においては、陸上競技トラックの如き平面視トラック形の形状としたが、本考案に係る食品用容器の容器本体１の形状は、この形状に限定されるものではなく、上端縁部１１、開口部１２、側面部１３及び底部１４から構成されるあらゆる形状のものを含む。例えば、平面から観察した場合に、正方形、長方形、円形、三角形、ハート形、星形の形状を挙げることができ、食品用容器として公知公用の形状を特別の制限なく採用することができる。
【００３２】
上端縁部１１には、その全周に沿って、膨出部１５を設けられている。
膨出部１５は、図２においては、上端縁部１１の外側面方向に膨出し形成されているが、上端縁部１１の内側面方向に膨出し形成してもよいし、外側面と内側面の双方向に膨出して形成してもよい。
【００３３】
膨出部１５には、その全周に亘って、芯材１７が配設されている。芯材１７は、上端縁部１１の形状を保ち、維持するためのものである。
芯材１７は、膨出部１５に対して、係止、嵌合、挟持、接着等の公知公用の取り付け手段を用いて配設することができる。但し、芯材１７は、膨出部１５に埋設されていることが好ましい。埋設することにより、外観からは容器本体１が単一の材料から形成されたように観察され、審美性に優れるという効果があり、膨出部１５と芯材１７の間に汚れ等が進入するおそれがなく、衛生的にも優れるという効果あるためである。
【００３４】
芯材１７は、容器本体１と蓋体２を形成する材料であるシリコン樹脂よりも、硬い材料で形成される。この芯材１７は、容器本体１の上端縁部１１に設けられた膨出部１５を保形・維持する作用があり、外力が加わることにより上端縁部１１が変形し、容器本体１と蓋体２との間に隙間が生じ、蓋体２が外れることや、収容した食品がこぼれ落ちることを防止する効果がある。従って、食品用容器を使用する際に通常想定できる外力が加わった場合に、保形・維持することができる程度の強度を有する材料が採用される。
【００３５】
芯材１７の材料として、鉄、アルミニウム又はステンレス鋼等の金属（合金を含む。）を採用することが好ましい。芯材１７の材料として金属を採用することによって、容器本体１の上端縁部１１を十分に補強し、その形状を保形・維持することができ、熱変化や経年変化による劣化も少ないといった利点がある。
【００３６】
また、芯材１７の材料として、ポリプロピレン、ポリエチレン又はＰＥＴといった硬質合成樹脂を採用することも好ましい。芯材１７の材料として硬質合成樹脂を採用することによって、容器本体１の上端縁部１１を十分に補強し、その形状を保形・維持することができ、容器本体１の重さを軽量に保つといった利点がある。
【００３７】
膨出部１５には、被係止部１６を設けることが好ましい。この被係止部１６と、後述する蓋体２に設けることができる係止部２３とが、係止又は係合することによって、容器本体１から蓋体２が外れるのを抑制することができるためである。
【００３８】
被係止部１６は、蓋体２の係止部２３と、係止又は係合することができる形状であれば、その形状に限定はない。被係止部１６の具体的態様として、例えば、膨出部１５の外側面１５ｂに、凸部又は凹部を設けることを挙げることができる。この凸部又は凹部は、膨出部の外側面１５ｂの全周に亘って設けることもできるし、一部分に１つ又は２以上設けることもできる。図２においては、膨出部の外側面１５ｂの全周に亘って、凸部を設けた例を表している。
【００３９】
膨出部１５の内側面１５ａには、段部１８を設けることができる。この段部１８は、後述する中蓋３に形成される段部３５と、嵌合するためのものである。
【００４０】
開口部１２は、容器本体１に収容する食品を出し入れするための開口である。
【００４１】
側面部１３は、上端縁部１１と底部１４とを接続する面であり、その形態に限定はない。但し、この側面部１３には、複数の補強リブを設けることが好ましい。この補強リブを設けることにより、垂直方向からの強度が増すという効果があるためである。従って、この複数の補強リブは、垂直方向に設けることがより好ましい。また、図２に示すとおり、垂直方向に連続して補強リブを設けることにより、垂直方向からの強度が増すばかりでなく、意匠的にも看者に美感を生じさせる効果がある。
尚、補強リブとは、強度を補強するために設ける畝状の隆起をいうが、その形状や設ける位置・方向に限定はない。
【００４２】
底部１４の形状については、特に限定はない。例えば、図３に示すように、高台を設けてもよい。また、図示しないが、底部１４に、補強リブを設けてもよい。
【００４３】
続いて、蓋体２について説明する。
蓋体２は、図３に示すとおり、天板部２１、側周面部２２から構成される。
尚、図３に示す蓋体２の６面図において、背面図は正面図と、右側面図は左側面図と、それぞれ同一に表れるため省略する。
【００４４】
図３において、蓋体２の形状は、容器本体１の形状に対応し、平面視トラック形の形状であるが、この形状に限定されるものではない。容器本体の形状と同様に、例えば、平面から観察した場合に、正方形、長方形、円形、三角形、ハート形、星形の形状を挙げることができ、食品用容器として公知公用の形状を特別の制限なく採用することができる。
【００４５】
天板部２１は、蓋体２を容器本体１に嵌合した際に、容器本体１の開口部１２を塞ぐ役割を果たすものである。従って、その形状は、開口部１２の形状に対応したものとなる。
天板部２１の裏面側には、図３に示すように、補強リブを設けることが好ましい。天板部２１は、熱伝導を考慮して、比較的薄く形成されるので、補強リブを設けることによって強度を増すことができる。
【００４６】
側周面部２２は、天板部２１の全周に沿って設けられ、側周面部２２の内側面２２ａと、容器本体１の膨出部１５の外側面１５ｂが嵌合する態様で構成される。
【００４７】
側周面部２２には、係止部２３を設けることが好ましい。この係止部２３と、前述の容器本体１に設けられる被係止部１６とが、係止又は係合することによって、蓋体２が容器本体１から外れるのを抑制することができるためである。
【００４８】
係止部２３は、容器本体１の被係止部１６と、係止又は係合することができる形状であれば、その形状に限定はない。係止部２３の具他的態様として、例えば、側周面部２２の内側面２２ａに、凹部又は凸部を設けることを挙げることができる。この凹部又は凸部は、側周面部の内側面２２ａの全周に亘って設けることもできるし、一部分に１つ又は２以上設けることもできる。図３においては、側周面部の内側面２２ａの全周に亘って、凹部を設けた例を表している。
【００４９】
続いて、中蓋３について説明する。
中蓋３は、容器本体１と蓋体２の間に挟まれるように設けられ、保温性を高めると共に、中蓋３が容器本体１と嵌合することにより、収容した食品を密閉することができ、食品がこぼれ落ちることを防止することができる。
【００５０】
中蓋３は、図４に示すとおり、中板部３１、嵌合部３２から構成され、取っ手部３３や載置部３４を設けることができる。
尚、図４に示す中蓋３の６面図において、背面図は正面図と対称に表れるため、右側面図は左側面図と同一に表れるため、それぞれ省略する。
【００５１】
図４において、中蓋３の形状は、容器本体１や蓋体２の形状に対応し、平面視トラック形の形状であるが、この形状に限定されるものではない。容器本体１や蓋体２の形状と同様に、例えば、平面から観察した場合に、正方形、長方形、円形、三角形、ハート形、星形の形状を挙げることができ、食品用容器として公知公用の形状を特別の制限なく採用することができる。
【００５２】
中板部３１は、中蓋３を容器本体１に配設した際に、容器本体１の開口部１２を塞ぐ役割を果たすものである。従って、その形状は、開口部１２の形状に対応したものとなる。
【００５３】
中板部３１には、図４に示すように、中蓋３の周縁から、周縁以外の全部を掘り下げて、中蓋３の中板部３１と蓋体２の天板部２１との間に空間を設けることにより、載置部３４を設けることが好ましい。また、図４では、周縁以外の全部を掘り下げているが、中板部３１の一部を掘り下げて、載置部３４を設けることもできる。
【００５４】
載置部３４と中板部３１の関係について説明すると、載置部３４は、中板部３１のうち、周縁から掘り下げた部分を指し、換言すれば、載置部３４は中板部３１の一部である。
この載置部３４には、ふりかけ、調味料、保冷材等や、箸、スプーン、フォーク等の食器を載置することができ便宜である。
【００５５】
また、中板部３１には、図示しないが、補強リブを設けてもよい。中板部３１は、蓋体２の天板部と同様に、熱伝導を考慮して比較的薄く形成されるので、補強リブを設けることによって強度を増すことができる。
【００５６】
嵌合部３２は、中板部３１の周縁端部がその役割を果たす構成であり、容器本体１の膨出部内側面１５ａに嵌合する形状であればよい。
図４に示すように、載置部３４が設けられることにより、中板部３１の周縁に段部３５が形成され、この段部３５を含めた周縁が嵌合部３２となることが好ましい。即ち、図２に示すように、容器本体１の膨出部内側面１５ａにも段部１８が設けられ、この段部１８と、図４に示す段部３５とが嵌合することが好ましい。中蓋３が、容器本体１と嵌合することにより、シリコン樹脂の有するシール性も手伝って、収容した食品を密閉することができ、食品がこぼれ落ちることを防止することができる。
【００５７】
中蓋３には、中蓋３の脱着を助けるため、取っ手部３３を設けることができる。取っ手部３３は、中蓋３の脱着を助けるために指で摘まみ易い形状であればよく、例えば、図４に示すように、中蓋３の周縁の一部が突出した形状とすることができる。
【００５８】
続いて、仕切り具４について説明する。
仕切り具４は、容器本体１の食品を収容する部分を仕切り、収容する食品を容器本体１の中で小分けにするためのものである。また、仕切り具４を備えることにより、本考案に係る食品用容器の強度、特に垂直方向からの外力に対する強度を高めることもできる。
仕切り具４の形状は、食品用容器に用いられる仕切り具として公知公用の形状を特別の制限なく採用することができ、例えば、板状のものや、器状のものを挙げることができる。
【００５９】
本考案に係る食品用容器は、食品を収容する容器であり、収容する食品の種類や、容器としての用途に限定はない。
但し、前記のとおり、本考案は、保形性が高く、容器のカバー部材（蓋体）が外れるのを防止し、収容した食品がこぼれず、持ち運びに適し、携帯性に優れた食品用容器を提供するという課題を解決するものであり、弁当箱やランチボックスとして使用することが、特に有効である。
【符号の説明】
【００６０】
１  容器本体
１１  上端縁部
１２  開口部
１３  側面部
１４  底部
１５  膨出部
１５ａ  膨出部内側面
１５ｂ  膨出部外側面
１６  被係止部
１７  芯材
１８  段部
２  蓋体
２１  天板部
２２  側周面部
２２ａ  側周面部内側面
２２ｂ  側周面部外側面
２３  係止部
３  中蓋
３１  中板部
３２  嵌合部
３３  取っ手部
３４  載置部
３５  段部
４  仕切り具
【図１】
0003167335.tif 000003
【図２】
0003167335.tif 000004
【図３】
0003167335.tif 000005
【図４】
0003167335.tif 000006